(57)【要約】  練習用のゴルフクラブにおいて、ヘッドのフェイス面がゴルフボールを正しくヒットするようにする。  練習用のゴルフクラブとしてのアイアン１０において、２本のシャフト１１，１１がその軸心Ｃ，Ｃを通る第１仮想平面Ｈ１上に位置するように配置する。また、２本のシャフト１１，１１の間隔Ｇが、先端部側から基端部側まで同一となるようにする。２本のシャフト１１，１１の先端部を、グリップ１３で囲繞する。グリップ１３は、スイング方向上流側に位置して、プレーヤーが利き手の掌で当接する第１グリップ面１３ａが平面状に形成されている。プレーヤーは、スイングに際し、第１グリップ面１３ａを押し出すようにして、フェイス面１２ａによりゴルフボールをヒットすることにより、ゴルフボールを正しくヒットすることができる。また、ゴルフボールにヒットするまで、手首が返りにくい。
2010087463.tif 000002
【特許請求の範囲】
【請求項１】
ゴルフボールをヒットするフェイス面が形成されたヘッドと、
基端部が前記ヘッドに連結されて先端側が真っすぐに延びる、相互に離間状態で並べられた２本のシャフトと、
前記２本のシャフトの先端部を囲繞するグリップと、を備え、
前記２本のシャフトは、それぞれ軸心に対して直交する断面が円形で、かつ前記先端部側よりも前記基端部側の方が直径が小さくなるように形成され、また、それぞれの軸心が、前記フェイス面が地面に対して垂直であると仮定したときの仮想フェイス面に対して平行な第１仮想平面上に配置され、
前記グリップは、少なくとも、前記ゴルフボールが飛ぶ方向と反対方向に位置してプレーヤーの利き手側の掌が当接する第１グリップ面が平面状に形成されている、
ことを特徴とする練習用のゴルフクラブ。
【請求項２】
前記２本のシャフトは、それぞれの外周面における相互に最も近接する部分の間隔が、前記基端部側から前記先端部側まで同じになるように配置されている、
ことを特徴とする請求項１に記載の練習用のゴルフクラブ。
【請求項３】
前記２本のシャフトは、それぞれの軸心が平行になるように配置されている、
ことを特徴とする請求項１に記載の練習用のゴルフクラブ。
【請求項４】
前記第１グリップ面は、前記先端部側よりも前記基端部側の方が前記第１仮想平面に近接するように配置されている、
ことを特徴とする請求項２に記載の練習用のゴルフクラブ。
【請求項５】
前記第１グリップ面は、前記先端部側よりも前記基端部側の方が前記第１仮想平面に近接するように配置されている、
ことを特徴とする請求項３に記載の練習用のゴルフクラブ。
【請求項６】
前記第１グリップ面は、前記第１仮想平面に対して平行に配置されている、
ことを特徴とする請求項２に記載の練習用のゴルフクラブ。
【請求項７】
前記第１グリップ面は、前記第１仮想平面に対して平行に配置されている、
ことを特徴とする請求項３に記載の練習用のゴルフクラブ。
【請求項８】
前記グリップは、前記ゴルフボールが飛ぶ方向と同じ方向に位置してプレーヤーの利き手側と反対の掌が当接する第２グリップ面を有し、
前記第２グリップ面は、第１仮想平面を基準に前記第１グリップ面に対して対称に配置されている、
ことを特徴とする請求項１ないし７のいずれか１項に記載の練習用のゴルフクラブ。
【発明の詳細な説明】
【技術分野】
【０００１】
本発明は、プレーヤーが練習に使用する練習用のゴルフクラブに関する。
【背景技術】
【０００２】
ゴルフにおいて、ドライバー，アイアン，パター等のゴルフシャフトのヘッドでゴルフボールを正しく打つ、いわゆるジャストミートすることは難しい。【０００３】
特許文献１には、ゴルフボールをジャストミートするための提案がなされている。このものは、通常のシャフトの他にもう１本、補助のシャフトを設けている。補助のシャフトは、上端側が手元近傍に位置し、また下端側がスイートスポットから重心付近を指すように配置されている。これによりプレーヤーは、常にスイートスポットを意識して、これをゴルフボールに当てるようにすることで、ゴルフボールのミート率を向上させることができる。
【特許文献１】特開２００６−３２６２６９号公報
【発明の開示】
【発明が解決しようとする課題】
【０００４】
しかしながら、特許文献１のものは、スイートスポットをゴルフボールにミートさせる技術は向上させることができたとしても、例えば、スイング中にシャフトをその軸心を中心に回転させてしまって、ミート時に、ヘッドのトウ側（先端側）が遅れたり、逆に進んだりしてゴルフボールがまっすぐに跳ばないことに対しては、これを修正することができないおそれがある。【０００５】
そこで、本発明は、ゴルフボールに対するヘッドのミート時の、トウ側の遅れや進みを防止して、ゴルフボールに対してヘッドがまっすぐに当たるようにした練習用のゴルフシャフトを提供することを目的とするものである。
【課題を解決するための手段】
【０００６】
請求項１に係る発明は、練習用のゴルフクラブに関する。この発明に係る練習用のゴルフクラブは、ゴルフボールをヒットするフェイス面が形成されたヘッドと、基端部が前記ヘッドに連結されて先端側が真っすぐに延びる、相互に離間状態で並べられた２本のシャフトと、前記２本のシャフトの先端部を囲繞するグリップと、を備え、前記２本のシャフトは、それぞれ軸心に対して直交する断面が円形で、かつ前記先端部側よりも前記基端部側の方が直径が小さくなるように形成され、また、それぞれの軸心が、前記フェイス面を地面に対して垂直に立てたときの仮想フェイス面に対して平行な第１仮想平面上に配置され、前記グリップは、少なくとも、前記ゴルフボールが飛ぶ方向と反対方向に位置してプレーヤーの利き手側の掌が当接する第１グリップ面が平面状に形成されている、ことを特徴とする。【０００７】
請求項２に係る発明は、請求項１に係る練習用のゴルフクラブにおいて、前記２本のシャフトは、それぞれの外周面における相互に最も近接する部分の間隔が、前記基端部側から前記先端部側まで同じになるように配置されている、ことを特徴とする。【０００８】
請求項３に係る発明は、請求項１に係る練習用のゴルフクラブにおいて、前記２本のシャフトは、それぞれの軸心が平行になるように配置されている、ことを特徴とする。【０００９】
請求項４に係る発明は、請求項２に係る練習用のゴルフクラブにおいて、前記第１グリップ面は、前記先端部側よりも前記基端部側の方が前記第１仮想平面に近接するように配置されている、ことを特徴とする。
請求項５に係る発明は、請求項３に係る練習用のゴルフクラブにおいて、前記第１グリップ面は、前記先端部側よりも前記基端部側の方が前記第１仮想平面に近接するように配置されている、ことを特徴とする。【００１０】
請求項６に係る発明は、請求項２に係る練習用のゴルフクラブにおいて、前記第１グリップ面は、前記第１仮想平面に対して平行に配置されている、ことを特徴とする。
請求項７に係る発明は、請求項３に係る練習用のゴルフクラブにおいて、前記第１グリップ面は、前記第１仮想平面に対して平行に配置されている、ことを特徴とする。【００１１】
請求項８に係る発明は、請求項１ないし７のいずれか１項に係る練習用のゴルフクラブにおいて、前記グリップは、前記ゴルフボールが飛ぶ方向と同じ方向に位置してプレーヤーの利き手側と反対の掌が当接する第２グリップ面を有し、前記第２グリップ面は、第１仮想平面を基準に前記第１グリップ面に対して対称に配置されている、ことを特徴とする。
【発明の効果】
【００１２】
請求項１の発明によれば、それぞれのシャフトは、基端部側の直径が先端部側の直径よりも小さいので、直径が小さくならない場合に比べて重量を軽くすることができる。また、２本のシャフトは、それぞれの軸心が、仮想フェイス面に対して平行な第１仮想平面上に配置されているので、スイング時には、スイング方向の上流側に湾曲することになって他の方向に湾曲しにくく、また、シャフトが１本の一般的なゴルフクラブ（以下単に「一般的なゴルフクラブ」という。）と比較して捩じれにくいので、その分、ヘッドがゴルフボールに正確にヒットする。さらに、第１グリップ面が平面状に形成されているので、プレーヤーは、スイング時に、この第１グリップ面に意識を集中させて押し出すようにスイングすることで、シャフトがその軸心を中心に捩れることを防止することができる。このため、ヒット前に手首が返ることを防止し、またヒット後に遅れることなく手首が返るようにして、ゴルフボールをジャストミートして、ゴルフボールを正しい方向に跳ばすことができ、また、ゴルフボールの飛距離も伸ばすことができる。【００１３】
請求項２の発明によれば、２本のシャフトは、相互の外周面の間隔が、基端部側から先端部側まで同じであるので、２本のシャフトの軸心が平行である場合と比較して、２本のシャフトを近接させて配置して、コンパクトに構成することができる。また、ゴルフボールに対してヘッドをまっすぐに当てることができ、しかも、使用感が、一般的なゴルフクラブに近いものとなる。【００１４】
請求項３の発明によれば、２本のシャフトは、相互の軸心が平行であるので、２本のシャフトの間隔が基端部側から先端部側まで同じである場合と比較して、捩じれにくく、またスイング時のシャフトの湾曲方向が定まりやすいので、一層、ゴルフボールに対してヘッドをまっすぐに当てることが容易となる。【００１５】
請求項４の発明によれば、請求項２の上述の効果に加え、さらに、第１グリップ面が先端部側よりも基端部側の方が第１仮想平面に近接するので、第１グリップ面が第１仮想平面と平行な場合と比較して、グリップを握ったときの感覚が一般的なゴルフクラブのそれに近く、また、スイング時にグリップが手からすり抜けるおそれが少ない。
請求項５の発明によれば、請求項３の上述の効果に加え、さらに、第１グリップ面が先端部側よりも基端部側の方が第１仮想平面に近接するので、第１グリップ面が第１仮想平面と平行な場合と比較して、グリップを握ったときの感覚が一般的なゴルフクラブのそれに近く、また、スイング時にグリップが手からすり抜けるおそれが少ない。【００１６】
請求項６の発明によれば、請求項２の上述の効果に加え、さらに、第１グリップ面が第１仮想平面と平行に配置されているので、第１グリップ面が仮想フェイス面とも平行に配置されていることになり、フェイス面がゴルフボールをヒットする際の感触を、第１グリップ面を介して、直接的にしっかりと把握することができる。
請求項７の発明によれば、請求項３の上述の効果に加え、さらに、第１グリップ面が第１仮想平面と平行に配置されているので、第１グリップ面が仮想フェイス面とも平行に配置されていることになり、フェイス面がゴルフボールをヒットする際の感触を、第１グリップ面を介して、直接的にしっかりと把握することができる。
ここで、上述の請求項４〜７の発明の効果について整理する。
まず、これら４つの請求項に係る練習用のゴルフクラブは、２種類のシャフトの構成と２種類のグリップの構成の組み合わせとにより、４種類の異なる構成となっている。すなわち、２本のシャフトについては相互の間隔が同じか、相互の軸心が平行かの違い、また、グリップについては、第１グリップ面の基端側が第１仮想平面に近接するか、第１仮想平面に平行かの違いの組み合わせとなっている。
具体的には、請求項４は、２本のシャフトの間隔が一定で、第１グリップ面が近接している。また、請求項５は、２本のシャフトの軸心が平行で、第１グリップ面が近接している。また、請求項６は、２本のシャフトの間隔が一定で、第１グリップ面が平行である。そして、請求項７は、２本のシャフトの軸心が平行で、第１グリップ面が平行である。
ここで、上述のように、２本のシャフトについては、軸心が平行のものよりも、間隔が一定のものの方が、また、グリップについては、第１グリップ面が平行なものよりも、近接するものの方が、構成及び使用感について一般的なゴルフクラブに近いものとなる。ここで、注意すべき点は、一般的なゴルフクラブに近いほど、発明の効果は薄れていき、また、効果が大きいほど、構成や使用感が一般的なゴルフクラブからはかけ離れるという点である。
以上の点から請求項４〜７について比較すると、請求項４，５，６，７の順に、全体としての構成及び使用感が一般的なゴルフクラブに近く、一方、この逆の請求項７，６，５，４の順に、発明としての効果が大きい。く。したがって、プレーヤーの習得度に応じて、これらの請求項に係る練習用ゴルフクラブを使い分けることが好適であるといえる。例えば、初心者は、はじめ、最も大きい効果が期待される請求項７のものを使用し、その後、請求項６，５のものに移り、そして、最後は、一般的なゴルフクラブに最も近い請求項４のものを使用するといったように、段階を踏んで使用することで、練習で成果を挙げたら、徐々により実戦に近いものに移っていくことが好ましい。【００１７】
請求項８の発明によれば、第２グリップ面が、第１仮想平面を基準に第１グリップ面に対して対称に配置されているので、両手でグリップを握った際に、違和感なく自然な感覚で握ることができる。
【発明を実施するための最良の形態】
【００１８】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞【００１９】
図１〜図３を参照して、本発明に係る練習用のゴルフクラブを適用した実施形態１の練習用のゴルフクラブとしてアイアン１０について説明する。【００２０】
図１〜図３のうち、図１（ａ）は、アイアン１０を正面から見た図である。ただし、同図は、同一の平面（第１仮想平面）上に配置された、２本のシャフト１１，１１の軸心Ｃから等距離にある中心線Ｓ（以下、２本のシャフトの中心線Ｓという。）を垂直に立てたときの図を示しており、また、シャフト１１，１１、グリップ１３、及びヘッド１２の一部を、２本のシャフト１１，１１の軸心Ｃを通る共通な平面（第１仮想平面）Ｈ１で切ったときの断面を示している。図１（ｂ）は、図１（ａ）を右側から見た図である。ただし、同図においても、シャフト１１，グリップ１３、及びヘッド１２の一部を、軸心Ｃを通る断面で示している。図１（ｃ）は、ヘッド１２を図１（ａ）中の矢印Ｄ方向から見た図である。図２（ａ），（ｂ），（ｃ）は、この順に、図１（ａ）中に円形Ｐ１，Ｐ２，Ｐ３で示す部分の拡大図である。図３（ａ）は、図１（ａ）中のＡ−Ａ線矢視図であり、（ｂ）は、図１（ａ）中のＢ−Ｂ線矢視図であり、（ｃ）は、Ｅ−Ｅ線矢視図である。なお、図３においてはハッチングを省略している。また、図１〜図３では、説明及び図示の便宜上、シャフト１１が中実であるように図示しているが、実際には、シャフト１１は、肉厚を持った中空に形成されている。ただし、本発明は、中実のシャフトを備えて構成された練習用のゴルフクラブに適用することも可能である。【００２１】
なお、これらの図に示すアイアン１０は、利き手が右手であるプレーヤーが使用するものを示している。左利きのプレーヤーが使用するアイアンについては、これらの図に示すものと勝手違いとなる。【００２２】
アイアン１０は、これらの図に示すように、２本のシャフト１１，１１と、２本のシャフト１１，１１の基端部（下端部）に取り付けられた（固定された）ヘッド１２と、２本のシャフト１１，１１の先端部（上端部）を囲繞するように固定されたグリップ１３とを備えている。【００２３】
２本のシャフト１１，１１は、それぞれ棒状に形成されている。シャフト１１は、その径方向の中心を軸心Ｃとすると、軸心Ｃに直交する断面が円形となるように形成されている。断面の円形の直径は、先端部側よりも基端部側の方が小さくなる。すなわち、シャフト１１は、先端部側から基端部側に向かうに従って、徐々に細くなっていく。つまり、軸心Ｃに沿った方向の変化に対して直径の変化が小さい円錐台状に形成されている。一例を挙げると、シャフト１１は、図１（ａ）に示すように、その長さＬが、７５０〜１３００ｍｍ程度であり、図２（ａ）に示すように、先端縁１１ａの直径ｄ１が１６ｍｍ、また、図２（ｃ）に示すように、基端縁１１ｂの直径ｄ２が９ｍｍとなっている。シャフト１１は、このように、基端部側の直径を小さくすることで、重量を低減するとともに、スイング時に基端側がしなりやすくなっている。【００２４】
２本のシャフト１１，１１は、それぞれの軸心Ｃが同一の平面である第１仮想平面Ｈ１上に位置するように配置されている。この第１仮想平面Ｈ１は、後述するヘッド１２のフェイス面１２ａが地面Ｅ（図１（Ｃ）参照）に対して垂直であると仮定（ロフト角が０であると仮定）したときの仮想フェイス面Ｆに対して平行（一致する場合も含む。）になるように配置されている。言い換えると、この第１仮想平面Ｈ１は、アイアン１０のスイング方向に対して直交する方向であり、また、ゴルフボールの飛ぶ方向を上から見たときの方向（プレイヤーの左右方向のうちの左方向）に対して直交する方向である。さらに、第１仮想平面Ｈ１を別な観点から、つまり、シャフト１１側を基準として定義すると次のようになる。２本のシャフト１１，１１のうちの一方（いずれでもよい）に着目し、他方のシャフトがないものと考える。つまり、着目した１本のシャフト１１と、ヘッド１２と、グリップ１３とを有する一般的なゴルフクラブと考える。そして、このゴルフクラブをプレーヤーが正しく構えた状態で、着目した１本のシャフト１１を上から見る。こうして、上から見たシャフト１１は、その軸心Ｃが、プレーヤーの左右方向に対して直交して見える。この軸心Ｃを通り、地面に対して垂直な仮想平面が、第１仮想平面Ｈ１となる。着目していなかった他方のシャフト１１は、その軸心Ｃが、この第１仮想平面Ｈ１に位置することになる。【００２５】
２本のシャフト１１，１１は、本実施形態では、基端部側から先端部側まで相互の間隔Ｇが一定となるように配置されている。すなわち、２本のシャフト１１，１１のそれぞれの母線のうち、最も近接する母線の間の距離が、基端部側から先端部側まで一定（間隔Ｇ）となっている。一例を挙げると、図２（ａ），（ｂ），（ｃ）に示すように、間隔Ｇは、５ｍｍとなっている。このように２本のシャフト１１，１１は、相互の間隔Ｇが一定となっているため、それぞれの軸心Ｃ，Ｃは、基端部側ほど相互に近接するようになっている。【００２６】
ヘッド１２は、図１（ａ），（ｂ）に示すように、ゴルフボールをヒットするフェイス面１２ａと、ネック１２ｂとを有している。ネック１２ｂは、柱状に形成されていて、上述の２本のシャフト１１，１１は、その下端部側がネック１２ｂに差し込まれて固定されている。図３（ｃ）に示すように、ネック１２ｂの、２本のシャフト１１，１１の中心線Ｓに直交する方向の断面は、ほぼトラック形状に形成されている。すなわち、シャフト１１，１１の円形の断面の直径よりの大きい２つの半円形のそれぞれ対応する側の端縁を直線で連結したような形状に形成されている。シャフト１１，１１の基端縁１１ｂ，１１ｂの直径が９ｍｍであるのに対して、このネック１２ｂの半円形の直径は１３ｍｍとなっている。なお、図３（ｃ）は、中心線Ｓに直交する断面であり、軸心Ｃに直交する断面ではないので、厳密には、この断面に現れるシャフト１１，１１の断面形状は楕円形であるが、シャフト１１，１１の長さＬに対して、軸心Ｃ，Ｃ間の距離が短く、したがって、中心線Ｓと軸心Ｃ，Ｃとは平行に近いので、このシャフト１１，１１の断面形状が円形であるものとして説明する。なお、この点は、次に説明するグリップ１３の、中心線Ｃに対して直交する断面に現れるシャフト１１，１１の断面形状についても同様である。【００２７】
グリップ１３は、２本のシャフト１１，１１の先端部を囲繞している。グリップ１３は、２本のシャフト１１，１１の先端部側のほぼ２５０〜２７０ｍｍの部分を囲繞している。図３（ａ），（ｂ），（ｃ）に示すように、グリップ１３の、２本のシャフト１１，１１の中心線Ｓに直交する方向の断面は、上述のヘッド１２のネック１２ｂと同様、ほぼトラック状に形成されている。グリップ１３は、この断面が、先端部側から基端部側に向かうほど小さくなるように形成されている。グリップ１３は、平面状の第１グリップ面１３ａと同じく平面状の第２グリップ面１３ｂと、これらを曲面状に連結する連結面１３ｃ，１３ｄと、端面１３ｅとを有していて、これらの、中心線Ｓに直交する方向の断面が上述のトラック形状となる。【００２８】
第１グリップ面１３ａは、スイング方向上流側に位置してプレーヤーの利き手（右手）の掌が当接する面である。第１グリップ面１３ａは、図３（ａ），（ｂ）に示すように、中心軸Ｓに直交する平面で切ったときに第１仮想平面Ｈ１に対して平行になる。この第１グリップ面１３ａは、基端部側ほど第１仮想平面Ｈ１に近接するように配置されている。すなわち、図１（ｂ）、図３（ａ），（ｂ）に示すように、この第１グリップ面１３ａとシャフト１１の外周面との間の距離（グリップの厚さ）について、シャフト１１の先端縁１１ａにおける距離をｇ１とし、グリップ１３の基端縁における距離をｇ２とすると、ｇ１＞ｇ２となるように、第１グリップ面１３ａが配置されている。これらｇ１，ｇ２の具体的な値としては、例えば、ｇ１が５ｍｍ、ｇ２が３ｍｍである。なお、ｇ２が０となるように構成することも可能である。【００２９】
第２グリップ面１３ｂは、第１仮想平面Ｈ１を基準として、第１グリップ面１３ａに対して対称に配置されている。【００３０】
連結面１３ｃ，１３ｄは、第１グリップ面１３ａと第２グリップ面１３ｂとを、半円状に連結する面であり、上述のように、中心線Ｓに直交する断面形状がほぼ半円状となっている。これら連結面１３ｃ，１３ｄとシャフト１１の外周面との距離については、図１（ａ）、図２（ａ），（ｂ）に示すように、シャフト１１の先端縁１１ａにおける距離をｇ３、グリップ１３の下端縁における距離をｇ４とすると、ｇ３＞ｇ４となるように、連結面１３ｃ，１３ｄが配置されている。これらｇ３，ｇ４の具体的な値としては、例えば、ｇ１が５ｍｍ、ｇ２が３ｍｍである。なお、ｇ３＝ｇ４としてもよい。【００３１】
以上説明したアイアン１０によると、それぞれのシャフト１１は、基端部側の直径が先端部側の直径よりも小さいので、先端部側の直径が小さくならない場合に比べて重量を軽くすることができるとともに、スイング時に先端部側がよく撓るようにすることができる。また、２本のシャフト１１，１１は、それぞれの軸心Ｃ，Ｃが、仮想フェイス面Ｆに対して平行な第１仮想平面Ｈ１、つまりスイング方向に直交する第１仮想平面Ｈ１上に配置されているので、スイング時には、スイング方向に湾曲することになって他の方向に湾曲しにくいので、その分、ヘッド１２がゴルフボールに正確にヒットする。さらに、第１グリップ面１３ａが第１仮想平面Ｈ１に対してほぼ平行な平面状に形成されているので、プレーヤーは、スイング時に、この第１グリップ面１３ａに意識を集中させて押し出すようにスイングすることで、シャフト１１，１１がその軸心Ｃ，Ｃ（中心線Ｓ）を中心に捩れることを防止することができる。このため、手首の返りを遅くして、すなわち、ヒット前に手首が返ることを防止してヒット後に手首を返すことができるため、ゴルフボールを正しい方向に跳ばすことができ、また、ゴルフボールの飛距離も伸ばすことができる。また、グリップ１３は、先端部側よりも基端部側の方が細く形成されているので、これを握るプレーヤーは、自然な状態で、グリップ感よく握ることができる。また、２本のシャフト１１，１１は、相互の間隔Ｇが、基端部側から先端部側まで同じであるので、組み立てが容易である。また、グリップ１３全体及び２本のシャフト１１，１１全体が第１仮想平面Ｈ１に対して、対称に形成されているので、組み立て時に、逆に取り付けるようなことがなく、組み立ての作業性を向上させることができる。【００３２】
以上の実施形態では、２本のシャフト１１，１１の間隔Ｇが、基端部側から先端部側まで一定となるように構成したが、これに代えて、２本のシャフト１１，１１のそれぞれの軸心Ｃ，Ｃが平行になるように構成してもよい。この場合には、２本の軸心Ｃ，Ｃの間隔Ｇが先端側で狭まったり広がったりする場合に比して、スイング時に２本のシャフト１１，１１の捩れが少なく、スイング方向に対して、つまり第１仮想平面Ｈ１に直交する方向に対して正確に湾曲しやすい。
＜実施形態２＞【００３３】
図４に、他のグリップ２３を示す。同図は、上述の実施形態１における図１（ｂ）のグリップ１３の基端部近傍に相当する図を、誇張して模式的に示す図である。なお、図４においてはハッチングを省略している。また、図４では、説明及び図示の便宜上、シャフト１１が中実であるように図示しているが、実際には、シャフト１１は、肉厚を持った中空に形成されているものとする。【００３４】
本実施形態２のグリップ２３は、スイング方向上流側に位置してプレーヤーの利き手（右手）の掌が当接する平面状の第１グリップ面２３ａを有している。この第１グリップ面２３ａは、２本のシャフト１１，１１にスイング方向上流側から接触する面を第２仮想平面Ｈ２としたときに、この第２仮想平面Ｈ２に対して平行になるように配置されている。すなわち、図１（ｂ）、図３（ａ），（ｂ）に図示するｇ１、ｇ２について、ｇ１＝ｇ２となっている。また、第２グリップ面２３ｂは、同じく平面状に形成されていて、第１仮想平面Ｈ１を基準として、第１グリップ面２３ａに対して対称に配置されている。【００３５】
本実施形態によると、平面状の第１グリップ面２３ａが、シャフト１１の直径が基端側に行くほど小さくなるのと同程度に、基端側ほど軸心Ｃに近づくので、グリップ１３を握ったときに、自然な感じとなる。
＜実施形態３＞【００３６】
図５に、他のグリップ３３を示す。同図は、上述の実施形態１における図１（ｂ）のグリップ１３の基端部近傍に相当する図を、誇張して模式的に示す図である。なお、図５においてはハッチングを省略している。また、図５では、説明及び図示の便宜上、シャフト１１が中実であるように図示しているが、実際には、シャフト１１は、肉厚を持った中空に形成されているものとする。【００３７】
本実施形態３のグリップ３３は、スイング方向上流側に位置してプレーヤーの利き手（右手）の掌が当接する平面状の第１グリップ面３３ａを有している。この第１グリップ面３３ａは、２本のシャフト１１，１１の軸心Ｃ，Ｃを通る第１仮想平面Ｈ１に対して平行になるように配置されている。すなわち、図１（ｂ）、図３（ａ），（ｂ）に図示するｇ１、ｇ２について、ｇ１＜ｇ２となっている。また、第２グリップ面３３ｂは、同じく平面状に形成されていて、第１仮想平面Ｈ１を基準として、第１グリップ面３３ａに対して対称に配置されている。【００３８】
本実施形態によると、平面状の第１グリップ面３３ａが、第１仮想平面Ｈ１に対して平行に配置されているので、プレーヤーは、第１グリップ面３３ａを握った際に、第１仮想平面Ｈ１、すなわちシャフト１１，１１の位置を強く認識して、スイング時にゴルフボールを正確にヒットすることができる。
＜実施形態４＞【００３９】
図６，図７を参照して、本発明を、ドライバー５０に適用した例を説明する。ここで、図６は、ドライバー５０を正面側から見た図である。図７は、ヘッド５２を図６中の矢印Ｋ方向から見た拡大図である。なお、図６では、図示の便宜上、シャフト１１は、先端部側から基端部側まで同じ直径で図示しているが、実際には、実施形態１で説明したように、先端部側よりも基端部側の方が直径が小さくなるように形成されている。
図６に示すように、ドライバー５０は、２本のシャフト１１，１１と、２本のシャフト１１，１１の基端部（下端部）に取り付けられた（固定された）ヘッド５２と、２本のシャフト１１，１１の先端部（上端部）に取り付けられた（固定された）グリップ１３とを備えている。【００４０】
図６，図７に示すように、ヘッド５２は、ブロック状に形成されていて、斜め上方に突き出したネック５２ａと、正面側に位置するフェイス面５２ｂと、先端側に位置するトウ５２ｃと、基端側（後端側）に位置するヒール５２ｄと、下端側に位置するソール５２ｅ等を有している。上述のネック５２ａは、円柱状に形成されていて、上述の２本のシャフト１１，１１は、その基端縁１１ｂ，１１ｂ側がネック５２ａに差し込まれて固定されている。フェイス面５２ｂは、僅かに彎曲するように形成されていて、図７に示すように、下端側に対して上端側がわずかに後方（正面側とは反対方向）に位置するように傾斜している。シャフト１１，１１に対するこの傾斜角度がいわゆるリアルロフトである。
ここで、ドライバー５０のヘッド５２における仮想フェイス面Ｆについて説明をする。上述のリアルロフトを０とすると、フェイス面５２ｂは、バジル（フェイス面の横方向（水平方向）の丸み）及びロール（フェイス面の縦方向の丸み）によって正面側（ゴルフボールが飛ぶ側）に向かって緩やかに湾曲した凸面状となる。この姿勢（リアルロフト０の姿勢）のフェイス面５２ｂに対して正対する平面を仮想すると、この仮想の平面は、上述の姿勢のフェイス面５２ｂに対して徐々に近接させた場合に、フェイス面５２ｂに１点で接触する。このときの仮想の平面を仮想フェイス面Ｆとする。この仮想フェイス面Ｆは、プレイヤーの左右方向に対して垂直となる。ただし、フェイス面５２ｂは、フェイス角度がスクエアであって、クローズやオープンでないものとする。
なお、図７の図示例では、フェイス面５２ｂのリアルロフト角が小さくて略０に近いので、このフェイス面５２ｂに正対して接触する平面が上述のようにして決めた仮想フェイス面Ｆと略一致することになる。【００４１】
このようなヘッド５２を有するドライバー５０に対しても、本発明を適用することができる。【００４２】
すなわち、２本のシャフト１１，１１及びグリップ１３として、上述の実施形態１で説明したアイアン１０と同様のシャフト１１，１１及びグリップ１３を使用することができる。また、グリップ１３については、実施形態２で説明したグリップ２３、さらに実施形態３で説明したグリップ３３も使用することができる。【００４３】
本発明をドライバー５０に適用した場合でも、上述のアイアン１０に適用した場合と同様の効果を奏することができる。
【図面の簡単な説明】
【００４４】
【図１】図１〜図３は実施形態１を説明する図であり、図１（ａ）は、アイアン１０を正面から見た図である。図１（ｂ）は、図１（ａ）を右側から見た図である。図１（ｃ）は、ヘッド１２を図１（ａ）中の矢印Ｄ方向から見た図である。
【図２】図２（ａ），図１（ｂ），図１（ｃ）は、この順に、図１（ａ）中に円形Ｐ１，Ｐ２，Ｐ３で示す部分の拡大図である。
【図３】図３（ａ）は、図１（ａ）中のＡ−Ａ線矢視図であり、図３（ｂ）は、図１（ａ）中のＢ−Ｂ線矢視図であり、図３（ｃ）は、図１（ａ）中のＥ−Ｅ線矢視図である。
【図４】実施形態２のグリップ２３を誇張して模式的に示す図である。
【図５】実施形態３のグリップ３３を誇張して模式的に示す図である。
【図６】ドライバー５０を正面から見た図である。
【図７】ドライバー５０のヘッド５２を、図６中の矢印Ｋ方向から見た拡大図である。
【符号の説明】
【００４５】
１０        アイアン（練習用のゴルフクラブ）
１１        シャフト
１１ａ      シャフトの先端縁
１１ｂ      シャフトの基端縁
１２，５２  ヘッド
１２ａ，５２ｂ
フェイス面
１３，２３，３３
グリップ
１３ａ，２３ａ，３３ａ
第１グリップ面
１３ｂ，２３ｂ，３３ｂ
第２グリップ面
５０        ドライバー（練習用のゴルフクラブ）
Ｃ          シャフトの軸心
Ｇ          間隔
Ｈ１        第１仮想平面
Ｈ２        第２仮想平面
Ｓ          ２本のシャフトの中心線
【図１】
2010087463.tif 000003
【図２】
2010087463.tif 000004
【図３】
2010087463.tif 000005
【図４】
2010087463.tif 000006
【図５】
2010087463.tif 000007
【図６】
2010087463.tif 000008
【図７】
2010087463.tif 000009
【国際調査報告】
2010087463.tif 000010
2010087463.tif 000011